(57)【要約】【課題】  コイルや渡り線が絶縁コーティング層を越えて固定子鉄心の環状部側に張り出すのを防止できる磁石発電機用固定子を得る。【解決手段】  環状部１ａの外周に放射状に凸極部１ｂを突設している固定子鉄心１の各凸極部１ｂに絶縁コーティング層３を介してコイル４を巻装する。各コイル４は渡り線５で接続する。固定子鉄心１の環状部１ａの表面には、コイル４や渡り線５が絶縁コーティング層３を越えて環状部１ａ側に張り出すのを防止する張り出し防止環状体７を固定する。【選択図】    図１
2006050819.tif 000002
【特許請求の範囲】
【請求項１】
環状部の外周に放射状に凸極部が突設されている固定子鉄心の前記各凸極部に絶縁コーティング層を介してコイルが巻装され、前記各コイルが渡り線で接続されている磁石発電機用固定子において、
前記固定子鉄心の前記環状部の表面には前記コイルや前記渡り線が前記絶縁コーティング層を越えて該環状部側に張り出すのを防止する張り出し防止環状体が固定されていることを特徴とする磁石発電機用固定子。
【請求項２】
前記張り出し防止環状体は、前記固定子鉄心の前記環状部の表面に載るリング状部分と、該リング状部分の外周から立ち上がる立ち上がり鍔部分とを備えた構造になっていることを特徴とする請求項１に記載の磁石発電機用固定子。
【請求項３】
前記張り出し防止環状体は、前記固定子鉄心の前記環状部の表面に載るリング状部分と、該リング状部分の外周から立ち上がる立ち上がり鍔部分と、該立ち上がり鍔部分の立ち上がり先端から前記リング状部分に平行する向きで径方向の外側に突出する押さえ部分とを備えた構造になっていることを特徴とする請求項１に記載の磁石発電機用固定子。
【請求項４】
前記張り出し防止環状体は、前記固定子鉄心の前記環状部の表面に載るリング状部分と、該リング状部分の外周から立ち上がる立ち上がり鍔部分とを備え、前記環状部と前記立ち上がり鍔部分の外径は前記各固定用孔の箇所では該固定用孔の位置より前記リング状部分を拡径する側に大きく且つ前記コイルを設置すべき位置の内径より小さくなっており、隣接する前記各固定用孔の間の箇所ではこれら固定用孔の外側の包絡線の位置より小さく且つ前記各固定用孔の内側の包絡線の位置より大きくなっていることを特徴とする請求項１に記載の磁石発電機用固定子。
【発明の詳細な説明】
【技術分野】
【０００１】
本発明は、磁石発電機用固定子に関するものである。
【背景技術】
【０００２】
従来の磁石発電機用固定子は、図５（Ａ）（Ｂ）及び図６に示す構造であった。ここで、図５（Ａ）は従来の磁石発電機用固定子の縦断面図、図５（Ｂ）は従来の磁石発電機用固定子の正面図、図６は図５（Ａ）のＰ部の拡大図である。
【０００３】
この磁石発電機用固定子は、環状部１ａの外周に放射状に凸極部１ｂが突設された積層構造の固定子鉄心１を備え、各凸極部１ｂの外周には固定子鉄心１の側板１Ａの表面の絶縁コーティング層３を介してコイル４が巻装され、各コイル４は渡り線５で接続され、環状部１ａの周方向の複数箇所には固定用孔６が設けられた構造であった（例えば、特許文献１参照。）。
【０００４】
側板１Ａは鉄板からなっていて、凸極部１ｂの先端において、該側板１Ａの端部には鍔部１Ａｆが設けられてコイル４の飛び出しが防止されるようになっている。絶縁コーティング層３は、凸極部１ｂの外周側表面にも塗布されている。
【０００５】
図５（Ａ）において、φＤは各コイル４の内接円径、φＤ１は絶縁コーティング層３の内径であって、φＤ＞φＤ１となっている。また、Ｈ１は渡り線５の配線高さ、Ｈ２はコイル高さである。
【特許文献１】実開昭５６−２２９５３号公報
【発明の開示】
【発明が解決しようとする課題】
【０００６】
しかしながら、上記の如き従来の構造では、コイル４や渡り線５が、絶縁コーティング層３の内径φＤ１から環状部１ａ側に張り出し、固定用孔６に通されるネジやリベット等により潰されて、コイル４や渡り線５の絶縁性能を低下させてしまう問題点があった。
【０００７】
また、コイル４や渡り線５が、絶縁コーティング層３の内径φＤ１から環状部１ａ側に張り出した場合、そのコイル４や渡り線５を修整して絶縁コーティング層２上に戻すこともあったが、このようにすると手数がかかり、コスト高になる問題点があった。
【０００８】
本発明の目的は、コイルや渡り線が絶縁コーティング層を越えて固定子鉄心の環状部側に張り出すのを防止できる磁石発電機用固定子を提供することにある。
【０００９】
本発明の他の目的は、コイルや渡り線が絶縁コーティング層を越えて固定子鉄心の環状部における固定用孔側に張り出すのを防止でき且つこれらコイルや渡り線の浮きも防止できる磁石発電機用固定子を提供することにある。
【課題を解決するための手段】
【００１０】
本発明は、環状部の外周に放射状に凸極部が突設されている固定子鉄心の前記各凸極部に絶縁コーティング層を介してコイルが巻装され、前記各コイルが渡り線で接続されている磁石発電機用固定子を対象とする。
【００１１】
本発明に係る磁石発電機用固定子では、前記固定子鉄心の前記環状部の表面には前記コイルや前記渡り線が前記絶縁コーティング層を越えて該環状部側に張り出すのを防止する張り出し防止環状体が固定されていることを特徴とする。
【００１２】
この場合、前記張り出し防止環状体は、前記固定子鉄心の前記環状部の表面に載るリング状部分と、該リング状部分の外周から立ち上がる立ち上がり鍔部分とを備えた構造になっていることが好ましい。
【００１３】
また、前記張り出し防止環状体は、前記固定子鉄心の前記環状部の表面に載るリング状部分と、該リング状部分の外周から立ち上がる立ち上がり鍔部分と、該立ち上がり鍔部分の立ち上がり先端から前記リング状部分に平行する向きで径方向の外側に突出する押さえ部分とを備えた構造になっていることが好ましい。
【００１４】
または、前記張り出し防止環状体は、前記固定子鉄心の前記環状部の表面に載るリング状部分と、該リング状部分の外周から立ち上がる立ち上がり鍔部分とを備え、前記環状部と前記立ち上がり鍔部分の外径は前記各固定用孔の箇所では該固定用孔の位置より前記リング状部分を拡径する側に大きく且つ前記コイルを設置すべき位置の内径より小さくなっており、隣接する前記各固定用孔の間の箇所ではこれら固定用孔の外側の包絡線の位置より小さく且つ前記各固定用孔の内側の包絡線の位置より大きくなっていることが好ましい。
【発明の効果】
【００１５】
本発明に係る磁石発電機用固定子では、固定子鉄心の環状部の表面にはコイルや渡り線が絶縁コーティング層を越えて該環状部側に張り出すのを防止する張り出し防止環状体が固定されているので、この張り出し防止環状体の立ち上がり鍔部分によりコイルや渡り線が絶縁コーティング層を越えて固定子鉄心の環状部側に張り出すのを防止することができる。この張り出し防止環状体の立ち上がり鍔部分によれば、コイルや渡り線が絶縁コーティング層を越えて固定子鉄心の環状部側に張り出すのを確実に防止できるので、コイルや渡り線が固定用孔に通されるネジ等により潰されて、コイルや渡り線の絶縁性能が低下するのを確実に防止することができる。
【００１６】
この場合、張り出し防止環状体が、固定子鉄心の環状部の表面に載るリング状部分と、該リング状部分の外周から立ち上がる立ち上がり鍔部分とを備えた構造になっていると、簡単な構造のもので、コイルや渡り線が絶縁コーティング層を越えて固定子鉄心の環状部側に張り出すのを防止することができる。
【００１７】
また、張り出し防止環状体が、固定子鉄心の環状部の表面に載るリング状部分と、該リング状部分の外周から立ち上がる立ち上がり鍔部分と、該立ち上がり鍔部分の立ち上がり先端からリング状部分に平行する向きで径方向の外側に突出する押さえ部分とを備えた構造になっていると、立ち上がり鍔部分によるコイルや渡り線の固定子鉄心の環状部側への張り出し防止効果の他に、押さえ部分によりコイルや渡り線の浮きを防止する効果も得ることができる。
【００１８】
または、張り出し防止環状体が、固定子鉄心の環状部の表面に載るリング状部分と、該リング状部分の外周から立ち上がる立ち上がり鍔部分とを備え、環状部と立ち上がり鍔部分の外径が各固定用孔の箇所では該固定用孔の位置よりリング状部分を拡径する側に大きく且つコイルを設置すべき位置の内径より小さくなっており、隣接する各固定用孔の間の箇所ではこれら固定用孔の外側の包絡線の位置より小さく且つ各固定用孔の内側の包絡線の位置より大きくなっていると、必要最小限の大きさの張り出し防止環状体でコイルや渡り線の所要の張り出し防止効果を得ることができる。
【発明を実施するための最良の形態】
【００１９】
以下、本発明に係る磁石発電機用固定子を実施するための最良の形態の各例を図を参照して詳細に説明する。
【００２０】
図１（Ａ）（Ｂ）及び図２（Ａ）（Ｂ）は本発明に係る磁石発電機用固定子の一例を示したもので、図１（Ａ）は本例の磁石発電機用固定子の縦断面図、図１（Ｂ）は本例の磁石発電機用固定子の正面図、図２（Ａ）（Ｂ）は本例で用いている張り出し防止環状体の縦断面図及び正面図である。なお、前述した図５（Ａ）（Ｂ）及び図６と対応する部分には、同一符号を付けて示している。
【００２１】
本例の磁石発電機用固定子では、固定子鉄心１の環状部１ａの表面にはコイル４や渡り線５が絶縁コーティング層３を越えて該環状部１ａ側に張り出すのを防止する張り出し防止環状体７が各固定用孔６に通されたネジやリベット等により固定されている。張り出し防止環状体７は、プラスチック等の絶縁部材や金属により構成されている。張り出し防止環状体７が金属により構成されている場合には、コイル４や渡り線５に接する面に絶縁層が設けられている。即ち、張り出し防止環状体７は、少なくともコイル４や渡り線５に接する面が絶縁材で構成されていることが必要である。張り出し防止環状体７は、固定子鉄心１の環状部１ａの表面に載るリング状部分７ａと、該リング状部分７ａの外周から立ち上がる立ち上がり鍔部分７ｂとを備えた構造になっている。張り出し防止環状体７の外径は、コイル４を設置すべき位置の内径φＤとほぼ等しいφＤ２となっている。リング状部分７ａには、固定子鉄心１の環状部１ａに設けられている各固定用孔６と同じ位置に固定用孔６が同様に設けられている。Ｈ３は鍔部分７ｂの高さである。
【００２２】
このように、固定子鉄心１の環状部１ａの表面に、コイル４や渡り線５が絶縁コーティング層３を越えて該環状部１ａ側に張り出すのを防止する張り出し防止環状体７が設けられていると、この張り出し防止環状体７の立ち上がり鍔部分７ａによりコイル４や渡り線５が絶縁コーティング層３を越えて固定子鉄心１の環状部１ａ側に張り出すのを防止することができる。この張り出し防止環状体７の立ち上がり鍔部分７ｂによれば、コイル４や渡り線５が絶縁コーティング層３を越えて固定子鉄心１の環状部１ａ側に張り出すのを確実に防止できるので、コイル４や渡り線５が固定子鉄心１の環状部１ａに通されるネジ等により潰されて、コイル４や渡り線５の絶縁性能が低下するのを確実に防止することができる。
【００２３】
また、張り出し防止環状体７が、固定子鉄心１の環状部１ａの表面に載るリング状部分７ａと、該リング状部分７ａの外周から立ち上がる立ち上がり鍔部分７ｂとを備えた構造になっていると、簡単な構造のもので、コイル４や渡り線５の張り出しを確実に防止することができる。
【００２４】
なお、上記例では固定子鉄心１の環状部１ａに張り出し防止環状体７を設置する位置では、絶縁コーティング層３が存在しないようにしているが、張り出し防止環状体７のリング状部分７ａが載る部分まで絶縁コーティング層３を存在させ、この絶縁コーティング層３の上に張り出し防止環状体７のリング状部分７ａを重ねる構造にしてもよい。
【００２５】
図３（Ａ）（Ｂ）は本発明で用いる張り出し防止環状体の他の例を示す縦断面図及び正面図である。なお、図２（Ａ）（Ｂ）と対応する部分には、同一符号を付けて示している。
【００２６】
本例の張り出し防止環状体７は、固定子鉄心１の環状部１ａの表面に載るリング状部分７ａと、該リング状部分７ａの外周から立ち上がる立ち上がり鍔部分７ｂとを備えている点は、前述した図２（Ａ）（Ｂ）と同様である。本例の張り出し防止環状体７では、立ち上がり鍔部分７ｂの立ち上がり先端からリング状部分７ａに平行する向きで径方向の外側に突出する押さえ部分７ｃとを備えている。張り出し防止環状体７の立ち上がり鍔部分７ｂの外径は、コイル４を設置すべき位置の内径とほぼ等しいφＤ２となっている。リング状部分７ａには、固定子鉄心１の環状部１ａに設けられている各固定用孔６と同じ位置に固定用孔６が同様に設けられている。
【００２７】
このような構造の張り出し防止環状体７によれば、立ち上がり鍔部分７ｂによるコイル４や渡り線５の固定子鉄心１の環状部１ａ側への張り出し防止効果の他に、押さえ部分７ｃによりコイル４や渡り線５の浮きを防止する効果も得ることができる。
【００２８】
図４（Ａ）（Ｂ）は本発明で用いる張り出し防止環状体のさらに他の例を示す縦断面図及び正面図である。なお、図２（Ａ）（Ｂ）と対応する部分には、同一符号を付けて示している。
【００２９】
本例の張り出し防止環状体７は、固定子鉄心１の環状部１ａの表面に載るリング状部分７ａと、該リング状部分７ａの外周から立ち上がる立ち上がり鍔部分７ｂとを備えている点は、前述した図２（Ａ）（Ｂ）と同様である。本例の張り出し防止環状体７では、環状部７ａと立ち上がり鍔部分７ｂの外径が、各固定用孔６の箇所では該固定用孔６の位置よりリング状部分７ａを拡径する側に大きく且つコイル４を設置すべき位置の内径より小さくなっており、隣接する各固定用孔６の間の箇所ではこれら固定用孔６の外側の包絡線の位置より小さく且つ各固定用孔６の内側の包絡線の位置より大きくなっている。
【００３０】
このような構造の張り出し防止環状体７によれば、必要最小限の大きさの張り出し防止環状体７でコイル４や渡り線５の所要の張り出し防止効果を得ることができる。
【００３１】
なお、図３（Ａ）（Ｂ）及び図４（Ａ）（Ｂ）の張り出し防止環状体７も、図２（Ａ）（Ｂ）の張り出し防止環状体７と同様の素材で構成されている。
【図面の簡単な説明】
【００３２】
【図１】（Ａ）（Ｂ）は本発明に係る磁石発電機用固定子の一例の縦断面図及び正面図である。
【図２】（Ａ）（Ｂ）は本例で用いている張り出し防止環状体の縦断面図及び正面図である。
【図３】本発明で用いる張り出し防止環状体の他の例を示す縦断面図及び正面図である。
【図４】本発明で用いる張り出し防止環状体のさらに他の例を示す縦断面図及び正面図である。
【図５】従来の磁石発電機用固定子の縦断面図及び正面図である。
【図６】図５（Ａ）のＰ部の拡大図である。
【符号の説明】
【００３３】
１  固定子鉄心
１ａ  環状部
１ｂ  凸極部
１Ａ  側板
３  絶縁コーティング層
４  コイル
５  渡り線
６  固定用孔
７  張り出し防止環状体
７ａ  リング状部分
７ｂ  立ち上がり鍔部分
７ｃ  押さえ部分
【図１】
2006050819.tif 000003
【図２】
2006050819.tif 000004
【図３】
2006050819.tif 000005
【図４】
2006050819.tif 000006
【図５】
2006050819.tif 000007
【図６】
2006050819.tif 000008